【手続補正書】
【提出日】平成19年1月17日(2007.1.17)
【手続補正１】
【補正対象書類名】明細書
【補正対象項目名】全文
【補正方法】変更
【補正の内容】
【書類名】          明細書
【発明の名称】      切り離し可能なミニスマートカードをもつ携帯型データ記憶媒体
【特許請求の範囲】
【請求項１】  切り離し可能なミニスマートカード(２)をもち、前記ミニスマートカード(２)の大半を囲むフリーパンチ(３)により前記ミニスマートカード(２)のほとんどがカード本体から分離されている携帯型データ記憶媒体(１)において、前記ミニスマートカード(２)の大きさをさらに縮小するための定格切断線(５)が前記ミニスマートカード(２)内に配置されていることを特徴とする携帯型データ記憶媒体。
【請求項２】 前記フリーパンチ(３)が前記ミニスマートカード(２)の３つの辺の周りに伸び、第４の辺が穿孔(７)を有することを特徴とする請求項１記載の携帯型データ記憶媒体。
【請求項３】  前記フリーパンチ(３)が前記第４の辺の角(かど)を回って伸び、前記穿孔(７)が直線をなしていることを特徴とする請求項２記載の携帯型データ記憶媒体。
【請求項４】  前記定格切断線(５)が穿孔列により形成されていることを特徴とする請求項１から３いずれか１項記載の携帯型データ記憶媒体。
【請求項５】  前記定格切断線(５)の強度が前記穿孔(７)より大きいことを特徴とする請求項２から４いずれか１項記載の携帯型データ記憶媒体。
【請求項６】  前記カード本体(１)における前記ミニスマートカード(２)の位置をさらに安定化するために、前記穿孔(７)と対向する辺に横桟形状の連結部が配置されていることを特徴とする請求項１から５いずれか１項記載の携帯型データ記憶媒体。
【発明の詳細な説明】
【０００１】
本発明は、特許請求項１の前文にしたがう、切り離し可能なミニスマートカードをもつ携帯型データ記憶媒体に関する。
【０００２】
既知の移動無線システム、 例えばＧＳＭ移動無線システムにおいては、 ２つの相異なるカードフォーマットのＳＩＭ(加入者識別モジュール)が存在し得る。ＳＩＭの交換が頻繁に行われる移動電話では、大型カードが交換中の処理を簡易化するため、通常はＩＤ−１カードフォーマットが採用される。ＳＩＭの交換が稀にしか、または全く行われない移動電話、あるいは非常に小型の移動電話に対しては、ＩＤ−０００フォーマットのいわゆるプラグインＳＩＭが制定された。移動無線で使用するための実質的にあらかじめ個人認証されたスマートカードの供給をさらに容易にするために、移動無線で使用するためのスマートカードには通常、さほどの問題なしにプラグイン(ミニスマートカード)を切り離すことができる打抜きが設けられる。
【０００３】
ドイツ国特許出願公開第Ａ ４０ ０７ ２２１号により、 標準規格のＩＤ−１フォーマットをもつカードにＩＤ−０００フォーマットのミニスマートカードを配置することが知られ、ミニスマートカードは、ミニスマートカードをカード本体に保持するために維持される１つまたは複数の横桟だけをもつ打抜き、すなわちフリーパンチで取り囲まれている。
【０００４】
ヨーロッパ特許出願公開第Ａ ０ ４９５ ２１６号はさらに、 マイクロプロセッサをもつＩＤ(身分証明)カードを開示し、コンタクト面をもつマイクロプロセッサは標準規格のスマートカード(ＩＤ−１フォーマット)上の規格で定められた位置に配置されている。 マイクロプロセッサ及びそのコンタクト面は、３辺がフリーパンチで囲まれたプラグイン(ＩＤ−０００フォーマットのミニスマートカード)形態にあり、搭載面の第４の辺はヒンジ状のノッチを有する。
【０００５】
上記の形態により、ＳＩＭの頻繁な交換が行われる移動無線機には切り離されていないプラグインをもつ標準規格のカードを用いることができ、より小型の移動無線機、または通常はＳＩＭの交換を行わない移動無線機には切り離されたプラグインを“ミニスマートカード”として用いることができるようになる。
【０００６】
しかし、移動無線機の小型化が進むにつれて、ＩＤ−０００フォーマットのミニスマートカードでさえも大きすぎるという問題が生じている。
【０００７】
したがって本発明の課題は、ミニスマートカードの大きさをさらに縮小でき、全てのカードのフォーマットを互いに確実に分離することができ、すなわちプラグインをカード本体から容易に取り外すことが可能であり、同時に、プラグインがカード本体にとどまる場合にはプラグイン及びカード本体が堅牢なユニットを形成する、プラグイン付スマートカードを提供することである。
【０００８】
上記の課題は、特許請求項１の前文の特徴から出発し、請求項１の主眼である特徴により解決される。
【０００９】
本発明の有益な実施形態は従属請求項に提示される。
【００１０】
本発明の基本的構想は、ＩＤ−０００フォーマットのプラグインが、プラグインの一部を取り除くことによりミニスマートカードをさらに小型化できる定格切断線をもつことである。この付加的な定格切断線はノッチ、横桟付フリーパンチ等により実現できる。
【００１１】
上記の定格切断線は穿孔により有益な態様で実現される。穿孔は、さらに小型化するための定格切断線を破断することなくＩＤ−０００フォーマットのプラグインをＩＤ−１フォーマットのカードから切り離すことができるように、ノッチより堅固な連結部を構成する。
【００１２】
穿孔により実現される定格切断線の使用により、ヨーロッパ特許出願公開第Ａ ０ ４９５ ２１６号にしたがう３辺が切り離されたプラグインで、 より大きな堅牢性も得られる。プラグインの切り離されていない１辺には、カード本体内でプラグインの位置を固定できる穿孔が設けられる。
【００１３】
以下に、図１から２を参照して本発明をより詳細に説明する。
【００１４】
図１は、集積回路及びコンタクト面４を含むプラグイン２をもつカード本体１を示す。プラグイン２の外郭はカード本体１内でフリーパンチすなわち打抜き３により定められ、１つまたは複数の横桟６だけでカード本体と連結されている。横桟６は、プラグイン２をカード本体１から容易に切り離すことができるように設計されている。プラグイン内にはさらに、残余片８を切り取ることによりプラグインの大きさをさらに縮小できる、穿孔列５の形態の定格切断線がある。穿孔列５は、ＩＤ−０００フォーマットのプラグイン２がカード本体１から切り離されるときに穿孔列５が破断しないように、連結横桟６より堅固な連結部を構成している。プラグインを切り離した後に、穿孔列５で折り曲げることにより、ミニスマートカードの大きさをさらに縮小することができる。
【００１５】
図２は、ＩＤ−０００フォーマットのプラグイン２がフリーパンチ３により３辺でカード本体から分離され、カード本体１との連結が第４の辺の穿孔列７だけによる、図１と同様のスマートカードを示す。穿孔列７は、圧力がプラグインに加えられたときに穿孔列５より先に穿孔列７が破断するように、穿孔列５より小さい穿孔及び穿孔間隔を有している。
穿孔列７の穿孔の大きさ及び密度は、完成したカードの所望の堅牢性に依存する。フリーパンチ３が第４の辺の角(かど)を回って伸び、穿孔列７はミニスマートカード２の切離しをより容易にするため直線になっていることが有益である。
【００１６】
プラグイン２のカード本体１との本発明の連結は、従来技術に比較してかなり堅固である。カード本体１との連結はカード本体１の全厚にわたって存在するから、若干の圧力がプラグイン２に加えられても、その圧力によりカード本体１の面に関するプラグイン２の位置の変化が生じることはない。それにも関わらず、穿孔列７は、より強い圧力が加えられるとプラグインが切り離される定格切断線をつくる。第１にプラグインがカード本体に関して固定した位置に配置され、第２にプラグインが切り離される。
【図面の簡単な説明】
【図１】
プラグインに定格切断線をもつカードを示す
【図２】
寸法が異なるプラグインのための２つの定格切断線をもつカードを示す
【手続補正２】
【補正対象書類名】図面
【補正対象項目名】全図
【補正方法】変更
【補正の内容】
【図１】
2002535783.tif 000001
【図２】
2002535783.tif 000002